(57)【特許請求の範囲】
【請求項１】
天部に複数の等間隔の縫い襞を有するカーテンの裾部を平に伸展して、該裾部の襞付けする箇所を、等間隔にレール上に配列された多数個からなるアイロン受け台に設けられた止め手段により固定して、多数個のアイロン受け台を連結するパンタグラフが伸びた状態から縮む方向に動作することにより該アイロン受け台を移動させ、カーテンと共に寄せ集めた後、別に設けられたアイロン受け台と同数からなるアイロンヘッドをカーテンに押しつけて過熱蒸気を噴射し、カーテンに断面波板状の襞を形成することを特徴とするカーテン裾襞付け装置。
【請求項２】
アイロン受け台の上面にカーテンを固定保持するための止め手段として、該アイロン受け台の上面にカーテンを吸着する孔を設ける、或いはカーテン裾縁を挟んで止める爪状の止め金を取りつける、或いはカーテン裾を刺通して止める針等のいずれかもしくは上記のうちの少なくとも２つの組み合わせを止め手段として具備していることを特徴とする請求項１のカーテン裾襞付け装置。
【発明の詳細な説明】
【０００１】
【産業上の利用分野】
本発明は天部に丈方向の襞の付いた縫製済みカーテンの裾部に丈方向の襞を多数本付けて美しい波板状に仕上げるための仕上げ方法及び該仕上げに使用するための仕上げ装置に関するものである。
【０００２】
【従来の技術】
縫製済みカーテンの丈全長にわたって天部の襞間隔に合わせて例えば断面波板状に形成する方法は既にあり特許公報第２８６０７６３号に記載されている。この方法によれば熱可塑性合成繊維を含有する編織物からなる天部に一山以上の縫い襞を備えたカーテンを吊り下げ、このカーテンの天部の襞より下の部分を横断面ジグザグ状に屈曲し、このカーテンの表側および裏側の少なくとも一方で蒸気噴射ノズルによりカーテンの縦方向または横方向に移動しながらカーテンに過熱蒸気を噴射して、上記ジグザグ状の一方を屈曲固定し、カーテンを波板形状に仕上げる方法である。
【０００３】
しかし天部に襞を有するカーテンの裾部にのみ襞間隔の設定から襞を付ける作業までを一貫して施工する方法は未だないのである。所定の間隔で共通の支持板状に複数列配置された過熱蒸気を噴射するアイロンヘッドと該アイロンヘッドと同数で同じ間隔で別の共通支持板上に複数列配置されたアイロン受け台を備えた装置に熱可塑性のカーテンをセットした後アイロンヘッドを押し付け、アイロンヘッドより噴射する過熱蒸気によりカーテン生地に断面波板状の襞を形成する方法がある。この方法によればカーテンを別の場所で伸展して、襞を付ける箇所に所定の間隔で予めマーキング等をしたのち、多数個配列されたアイロン受け台の一つ一つにマーキングしたカーテン部分を一つ一つ載置していく作業が必要である。また該アイロン受け台にはカーテンのずれ動きを保持するための止め手段が設けられていないのである。
【０００４】
【発明が解決しようとする課題】
しかしながら、上記の方法のうちカーテンの丈全長にわたって断面波板状の襞を形成する方法を裾部にのみ常用することは可能であるが経済的ではない。一方、カーテンの裾部を伸展して所定の間隔で襞付け位置にマーキング等をして、別に設けられた襞付け機に運んで前述の手順により準備を手作業によりおこなって襞付け作業をするのは非常に手間のかかることである。また襞付け機に載置するまでの作業が全て人手によるために、多くの時間を必要とするだけでなくそれぞれの作業の段階における出来具合の正確さに欠ける。例えば、所定の間隔にカーテンにマーキング等する際の間隔の精度の悪さとか、或るアイロン受け台にカーテンのマーキングの付いた箇所を載置し、マーキング間のカーテンを次のアイロン受け台との隙間に緩み垂らして、また次のアイロン受け台にマーキング位置を合わせてカーテンを載置する作業を繰り返すのであるが、この間に既にアイロン受け台に載置されたカーテン受けがアイロン台からずれ動くこと等の問題がある。更にずれが生じておればこれを修正する作業が必要であり後戻り作業となり効率の悪い方法である。
【０００５】
以上に述べたことから、カーテンの丈全長にわたり断面波板状の襞を付ける装置に代わるものとして、カーテン裾部にのみ断面波板状の襞を正確に付けることが可能で、更にマーキングから襞付け完了までの一連の作業が省力化できる装置を開発することが必要である。
【０００６】
【課題を解決するための手段】
請求項１に係る発明は、熱可塑性合成繊維を含有する編織物からなる天部に一山以上の縫い襞のあるカーテンの裾部を伸展した状態にして、ガイドレールに多数個のアイロン受け台を配列するとともに該ガイドレールの一端側に固定アイロン受け台を設け、これらのアイロン受け台および固定アイロン受け台にカーテンの裾部を挟持することができる止め手段を具備し、かつ該固定アイロン受け台およびスライドするアイロン受け台を屈曲可能な定長パンタグラフで一列の等間隔に連結した装置において該カーテン裾部をアイロン受け台上に載置し、この時アイロン受け台に備えた止め手段がカーテンを固定して、ガイドレールと平行に進退するパンタグラフ機構でカーテンと該カーテンを固定する多数個のアイロン受け台を共に固定アイロン受け台側に引き寄せる。多数個のカーテン受け台に固定されて寄せられたカーテンに、該アイロン受け台と同数の過熱蒸気を噴出するノズルの付いたアイロンヘッドをカーテンに押し当てて襞付けをする。該アイロン受け台は上面が凸の半円筒状或いは逆Ｕ字形をしているが、過熱蒸気を噴出するアイロンは凹入した半円筒の形状或いはＵ字形をして凹入部に過熱蒸気の噴出用の孔を設けている。該スライダとアイロンの合わせ面形状に倣ってカーテン裾部には多数列の屈曲した断面波板状の襞が形成されるのである。
【０００７】
本発明によれば従来必要であったカーテン裾部に襞を設ける前のマーキング作業、マーキングしたカーテンの襞付け機への運搬作業および多数個の襞付け機に一箇所づつカーテンのマーキングされた部分を載置する作業が不要となり一連の作業が一つの機械で施工されるので作業時間が大幅に短縮されるのである。さらに各作業で生じる作業性の悪さから生じる精度のばらつき、許容限をこえる不具合の修正作業も不要となる。
【０００８】
請求項２に係る発明は、所定の間隔でガイドレールに配列された多数個のアイロン受け台の上面に設けるカーテン裾部の襞付け箇所を固定する止め手段に関するものである。即ち、アイロン受け台上面の半円筒の形状をした曲面に所要数の孔をあけてカーテンを吸着することを特徴とするものである。吸着の駆動源として真空ポンプを別途に備え、該真空ポンプとスライダを、また互いに隣接するスライダ同志を伸縮自在の所要長さのチューブで連結することによりカーテン裾部の多数の襞付け箇所を同時に吸着することが可能である。
【０００９】
或いは、アイロン受け台上面の長さ方向の一端（カーテンの裾下縁に相当する側）に止め金を具備したことを特徴とする止め手段、或いはアイロン受け台の上面の半円筒の曲面の一端（カーテンの裾下縁に相当する側）にカーテン布地を刺通する針を取りつけていることを特徴とする止め手段である。
【００１０】
請求項２の発明によりカーテンを伸展した状態のままでカーテンの裾下縁を所定の間隔に配列されたアイロン受け台上の該止め金で固定することが可能であり、アイロン受け台がパンタグラフにより固定ブロック側に寄せ集められる途中もカーテンの固定状態を維持することができることを特徴としている。
【００１１】
【発明の実施の形態】
本発明のカーテン裾襞付け装置の構成について図１および図２により説明する。装置全体１は台３４上に、襞を付けるための多数個のアイロンヘッド７側と該アイロンヘッド７と相対する位置に装備された多数個のアイロン受け台２側の２つのグループに分かれる。
【００１２】
多数個のアイロンヘッド７は所定の等間隔に配列されて共通の台板９に取りつけられている。アイロンヘッド７間の間隔中央には襞付け時にカーテンの断面波板状の谷になる箇所を押し込むための押し込み具８を備えており、台板９にアイロン受け台２と同じ等間隔に取り付けられている。台板９の一端は回転アーム３１を介して回転軸３３に支持されている。回転軸３３の高さ位置はアイロン受け台２の上面とほぼ同じ高さにあり、軸受けを支持するブラケット３２が台３４に固着している。
【００１３】
多数個のアイロン受け台２はスライダ３と一体となってレール４上を走行できるようにパンタグラフ機構５とピン６で接合している。多数個のアイロン受け台２の一端（図２では左端）のアイロン受け台は固定しており、この固定アイロン受け台１１を基点に他のアイロン受け台２はパンタグラフ機構５によりレール４上をスライドする。レール４は取り付け台１０と共に装置全体の台３４に固着されている。なお、固定アイロン受け台１１を多数個のアイロン受け台２の列中央に配置して左右の受け台が中央に近づくようにしてもよい。
【００１４】
以上に記述した本発明の装置１により実際にカーテンＡの裾に襞を付ける動作の実施例を説明する。
【００１５】
レール４上の多数個のアイロン受け台２をレール４上を移動させ（例えば襞数８個の場合を図２に示す。）固定アイロン台１１と一番外側（固定アイロン台１１を一番目とすると８番目）のアイロン受け台２との距離が、カーテンＡを広げた場合の両端の襞間隔に一致する状態に保持する。
【００１６】
次いで、カーテンの裾部の両端をカーテン裾部を伸展した状態で、固定アイロン受け台１１と一番外側のアイロン受け台に、受け台２に具備されている本発明の止め手段２１，２２，２３等により固定する。そのあと中間のアイロン受け台２にも同様にカーテンＡ裾部を固定する。
【００１７】
多数個のアイロン受け台２にカーテンＡが載置されて各アイロン受け台２との止め作業のあと、パンタグラフ機構５により多数個のアイロン受け台２をスライダ３を介してレール４上を走行させて、アイロン受け台２の間隔を狭めながら固定アイロン受け台１１側に引き寄せる。この時アイロン受け台２に載置されたカーテンＡもアイロン受け台２と共に固定アイロン受け台１１側に移動するが、移動に伴ってアイロン受け台２間に伸展していたカーテンＡは隣り合うアイロン受け台２の間に自重で屈曲して垂れ下がっていくのである。またこの垂れ下がり量はアイロン受け台２が固定アイロン台１１側に接近してアイロン受け台２間の間隔が狭まるにつれて増える。
【００１８】
多数個のアイロン受け台２を固定アイロン受け台１１側に所定の間隔に寄せ集める。このときアイロン受け台２の間隔とアイロンヘッド７の間隔は同じになる。次に多数個のアイロンヘッド７を固定した台板９を回転軸３３のまわりに回転させながら下降させて多数個のアイロン受け台２に載置されているカーテンＡ裾部に押し当てると同時に加熱蒸気を噴出する。アイロンヘッド７とアイロン受け台２の合わせ面はそれぞれが断面半円状或いはＵ字型の凹、凸の形状をしているのでカーテンはこの断面形状に倣ってプレスされるのである。また多数個のアイロンヘッド７の間に具備された押し込み具８は下降しながら対面するアイロン受け台の間に入り込み屈曲して垂れ下がっているカーテンの皺や緩み等を確実に伸ばすのである。
【００１９】
なお、アイロン受け台２上にカーテン裾を止める動作としては、多数個のカーテン受け台２にカーテンＡ裾の襞付け箇所が載置された後、図３（ａ）に示すように、真空ポンプ（図示せず）を動作させてチューブを通じてアイロン受け台２に設けた吸着用孔２１に所用の負圧でカーテンを吸着する、或いは、図３（ｂ）に示すように、アイロン受け台の端１５に取り付けた爪状の止め金２２でカーテン裾縁を挟み付ける、或いは、図３（ｃ）に示すように、アイロン受け台上に設けた針２３によりカーテンを刺通する等である。何れの方法においてもカーテン止め手段２１、２２、２３もアイロン受け台２上でカーテンＡがずれ動かないように保持して、この後カーテン受け台２が固定アイロン受け台１１側に移動する間においてもこの保持状態を保つ機能を有するのである。また、カーテンの止め手段が止め金２２や針２３の場合には、該止め手段の形状分の空間を、アイロン受け台とアイロンヘッド間に設けるとか、アイロンヘッドの針２３と相対する部分に穴を空けて針２３の逃げ空間を設けていること等はいうまでもないことである。
【００２０】
以上が本発明の装置による動作であるが、カーテンＡ裾部を伸展状態にして多数の襞付け箇所を容易に且つ確実に，所定の間隔に配列された多数個のアイロン受け台２に載置して固定保持することが可能となり、この状態のまま多数個のアイロン受け台２をパンタグラフ機構５により一動作で固定アイロン受け台側１１に寄せることも可能となった。なおアイロン受け台２の移動は手動によってもよいし、モータ駆動等やサーボ制御による位置決めを使用して自動化しても良い。自動化した場合には、他の工程を行う機械と組み合わせてカーテン縫製システムを構成することができ、データを共有して、システムの制御装置もしくはひだの間隔を使用している機械から本発明の装置へ転送することにより、さらにカーテンの生産を高めたシステムとすることができ、より効率的なシステム構成を可能とするできる。  また、固定アイロン受け台１１の位置は多数個のアイロン受け台２の端に限定することはなく、多数個のアイロン受け台２の中央にして左右のアイロン受け台２が中央の固定アイロン受け台１１に近づくようにしてもよい。
【００２１】
更に多数個のアイロンヘッド７を相対する位置に寄せられた多数個のアイロン受け台２に押しつけ該アイロン受け台２上のカーテンＡの裾に過熱蒸気を噴射して所望の断面波板状の襞を天部の襞間隔に合わせて形成することが可能となった。なお、過熱蒸気の噴射機能はアイロン受け台２またはアイロンヘッド７側の何れが具備しても良いのである。また、アイロン受け台２とアイロンヘッド７を多数設置しておいて、それより少ない襞数である場合、必要分だけ使用すればよい。逆に襞数の方が多い場合があれば、複数回に分けてやればよい。
【００２２】
【発明の効果】
天部に等間隔に縫い襞を有するカーテンの裾部に天部の縫い襞位置に合わせて新たに襞を形成することが可能な本発明の装置により、従来困難とされていたカーテン裾部の襞付け作業、特に準備作業が機械化され、省力化されると共に従来の多くの作業過程で生じる不整がなくなり確実に仕上げることが可能となつた。
【図面の簡単な説明】
【図１】本発明の装置全体を示す模式図（側面図）
【図２】本発明装置のアイロンヘッド、アイロン受け台の図（正面図）
【図３】カーテン裾部の襞付け治具の詳細図
【符号の説明】
１  本発明の装置
２  アイロン受け台
３  スライダ
４  レール
５  パンタグラフ
６  パンタグラフ取りつけ部
７  アイロンヘッド
８  押し込み具
９  台板
１０  レール台
１１  固定アイロン受け台
２１  吸着用孔
２２  止め金
２３  針
２４  チューブ
３１  回転アーム
３２  軸受けブラケット
３３  回転軸
３４  枠台
【図１】
0004378557.tif 000002
【図２】
0004378557.tif 000003
【図３】
0004378557.tif 000004